(57)【要約】【課題】  物品の一部分を直接視認できるようにしつつ、物品がケース部にて保護された包装体を提供する。【解決手段】  台紙２Ａと、シュリンクフィルム３Ａが物品８に熱収縮装着されたフィルム付き物品９Ａと、を有する包装体であって、台紙２Ａが、台紙本体と、ケース部と、を有し、ケース部が、台紙本体から延設された背面壁５２Ａと、背面壁の端部から起立された側壁５１Ａと、側壁の上方部及び下方部から延設された帯壁４１Ａ，４３Ａと、を有し、フィルム付き物品の上方部が、上方の帯壁４１Ａ、側壁の一部及び背面壁の一部によって覆われ、フィルム付き物品の下方部が、下方の帯壁４３Ａ、側壁の一部及び背面壁の一部によって覆われ、フィルム付き物品の上下方向中間部の正面及び反対側の側面が開放されており、側壁の面内には、ミシン目線７１Ａ，７２Ａが一対形成されており、シュリンクフィルムには、ミシン目線３１Ａが形成されている。【選択図】  図１０
2018065593.tif 000002
【特許請求の範囲】
【請求項１】
台紙本体と物品の一部分を覆うケース部を形成可能なケース形成部位とを有する台紙と、前記ケース形成部位に取り付けられた筒状のシュリンクフィルムと、を有するシュリンクフィルム付き台紙であって、
前記台紙のケース形成部位が、重ねられた表シート片及び裏シート片を有し、
前記裏シート片の面内に、裏シート片の上縁から下縁にまで上下方向に延びる折り罫線が形成され、前記裏シート片が、前記折り罫線を基準にして裏第１面部及び裏第２面部に区画されており、前記裏第１面部が、前記台紙本体の左側又は右側に延出されていると共に、前記折り罫線にて前記裏第２面部に対して折曲げ可能とされ、
前記表シート片が、上下方向において少なくとも２つの面部に分割されており、
前記表シート片の２つの面部のうち表第１面部が、前記裏シート片の折り罫線に跨がって延在されており、その表第１面部の左右方向一方端部が前記裏第１面部の端部に連結され且つ左右方向反対端部が前記裏第２面部の端部に連結されていると共に、前記表第１面部の左右方向両端部以外が前記裏第１面部及び裏第２面部に対して非接着とされており、
前記表シート片の２つの面部のうち表第２面部の裏面が、前記裏シート片の表面に接着され、
前記表第２面部の表面に、前記シュリンクフィルムの軸方向を上下方向として、前記シュリンクフィルムが取り付けられている、シュリンクフィルム付き台紙。
【請求項２】
前記表シート片が、上下方向において順に前記表第１面部、前記表第２面部及び表第３面部に分割されており、
前記表第３面部が、前記裏シート片の折り罫線に跨がって延在されており、その表第３面部の左右方向一方端部が前記裏第１面部の端部に連結され且つ左右方向反対端部が裏第２面部の端部に連結されていると共に、前記表第３面部の左右方向両端部以外が前記裏第１面部及び裏第２面部に対して非接着とされている、請求項１に記載のシュリンクフィルム付き台紙。
【請求項３】
前記シュリンクフィルムが、前記表第１面部及び表第３面部に重ならないようにして、前記表第２面部の表面に取り付けられている、請求項２に記載のシュリンクフィルム付き台紙。
【請求項４】
前記裏第１面部の上下方向端部又は前記表第１面部の上下方向端部に、蓋シート片が延設されている、請求項１乃至３のいずれか一項に記載のシュリンクフィルム付き台紙。
【請求項５】
前記裏第１面部の面内には、左右方向に延びるミシン目線が上下方向に離れて一対形成されている、請求項１乃至４のいずれか一項に記載のシュリンクフィルム付き台紙。
【請求項６】
前記筒状のシュリンクフィルムが扁平状に折り畳まれており、
前記扁平状に折り畳まれたシュリンクフィルムが、前記折り罫線に対応する部分を跨ぐように配置され、前記表第２面部の表面に取り付けられている、請求項１乃至５のいずれか一項に記載のシュリンクフィルム付き台紙。
【請求項７】
台紙と、シュリンクフィルムが物品に熱収縮装着されたフィルム付き物品と、を有し、前記シュリンクフィルムの軸方向を上下方向として前記フィルム付き物品の背面が台紙に取り付けられている包装体であって、
前記台紙が、台紙本体と、前記フィルム付き物品の一部分を覆うケース部と、を有し、
前記ケース部が、前記フィルム付き物品の背面に対面するように、前記台紙本体から延設された背面壁と、前記フィルム付き物品の一方の側面に対面するように、前記背面壁の端部から起立された側壁と、前記フィルム付き物品の正面及び反対側の側面に対面するように、前記側壁の上方部及び下方部からそれぞれ独立して延設された帯壁と、を有し、
前記フィルム付き物品の上方部の周囲が、前記上方の帯壁、側壁の一部及び背面壁の一部によって覆われ、且つ前記フィルム付き物品の下方部の周囲が、前記下方の帯壁、側壁の一部及び背面壁の一部によって覆われていると共に、前記フィルム付き物品の上下方向中間部の正面及び反対側の側面が開放されており、
前記側壁の面内には、前記帯壁を有さない端縁部を始点として前記背面壁の端部へ延びるミシン目線が上下方向に離れて一対形成されており、
前記シュリンクフィルムには、前記側壁に対面する位置に、フィルムの軸方向に延びるミシン目線が形成されている、包装体。
【請求項８】
前記フィルム付き物品のシュリンクフィルムの軸方向端部には、摘み部が設けられており、
前記ミシン目線が、前記摘み部の基部を始点として軸方向に延びて形成されており、
前記摘み部が前記側壁に形成された上下一対のミシン目線の間に位置するように、前記フィルム付き物品が取り付けられている、請求項７に記載の包装体。
【発明の詳細な説明】
【技術分野】
【０００１】
本発明は、台紙にシュリンクフィルムが取り付けられたシュリンクフィルム付き台紙及び包装体に関する。
【背景技術】
【０００２】
従来、筒状のシュリンクフィルムが台紙に取り付けられたシュリンクフィルム付き台紙が知られている。
例えば、特許文献１には、台紙と、台紙の表面に貼付された筒状のシュリンクフィルムと、台紙の幅方向における下側に延設され且つ前記シュリンクフィルムを周回するように略４角柱状に折られる表示用片と、を有するＰＯＰ付シュリンク台紙が開示されている。このＰＯＰ付シュリンク台紙の使用時には、シュリンクフィルムに物品を取り付けた後、表示用片を略４角柱状に折り曲げていき、その表示用片の先端部を、シュリンクフィルムと台紙とが接着されていない部分における台紙とシュリンクフィルムの間に挿入する。このようにして、シュリンクフィルムに取り付けられた物品の下方部が、略４角柱状の表示用片からなるケース部で包囲された包装体が得られる。
【０００３】
しかしながら、特許文献１のシュリンクフィルム付き台紙にあっては、平坦状の表示用片を略４角柱状に折り曲げることによってケース部を形成しなければならず、その折り曲げ作業が煩雑である。加えて、表示用片を折り曲げた後に、表示用片の先端部を台紙とシュリンクフィルムの間に挿入しなければならない。
また、特許文献１のシュリンクフィルム付き台紙を使用した包装体は、シュリンクフィルムに取り付けられた物品の下方部が略４角柱状の表示用片で包囲されているので、物品の全部がケース部にて覆われず、物品を直接視認できる。しかしながら、特許文献１の包装体は、物品の上方部が露出されているため、物品の上方部に異物が当たり、物品が汚れたり、或いは、物品を台紙に取り付けるためのシュリンクフィルムが台紙から剥がれるおそれがある。
【先行技術文献】
【特許文献】
【０００４】
【特許文献１】実用新案登録第３０５９３７８号公報
【発明の概要】
【発明が解決しようとする課題】
【０００５】
本発明の第１の目的は、物品を包囲するケース部を容易に形成できるシュリンクフィルム付き台紙を提供することである。
本発明の第２の目的は、物品の一部分を直接視認できるようにしつつ、物品がケース部にて保護された包装体を提供することである。
【課題を解決するための手段】
【０００６】
本発明のシュリンクフィルム付き台紙は、台紙本体と物品の一部分を覆うケース部を形成可能なケース形成部位とを有する台紙と、前記ケース形成部位に取り付けられた筒状のシュリンクフィルムと、を有するシュリンクフィルム付き台紙であって、前記台紙のケース形成部位が、重ねられた表シート片及び裏シート片を有し、前記裏シート片の面内に、裏シート片の上縁から下縁にまで上下方向に延びる折り罫線が形成され、前記裏シート片が、前記折り罫線を基準にして裏第１面部及び裏第２面部に区画されており、前記裏第１面部が、前記台紙本体の左側又は右側に延出されていると共に、前記折り罫線にて前記裏第２面部に対して折曲げ可能とされ、前記表シート片が、上下方向において少なくとも２つの面部に分割されており、前記表シート片の２つの面部のうち表第１面部が、前記裏シート片の折り罫線に跨がって延在されており、その表第１面部の左右方向一方端部が前記裏第１面部の端部に連結され且つ左右方向反対端部が前記裏第２面部の端部に連結されていると共に、前記表第１面部の左右方向両端部以外が前記裏第１面部及び裏第２面部に対して非接着とされており、前記表シート片の２つの面部のうち表第２面部の裏面が、前記裏シート片の表面に接着され、前記表第２面部の表面に、前記シュリンクフィルムの軸方向を上下方向として、前記シュリンクフィルムが取り付けられている。
【０００７】
本発明の好ましいシュリンクフィルム付き台紙は、前記表シート片が、上下方向において順に前記表第１面部、前記表第２面部及び表第３面部に分割されており、前記表第３面部が、前記裏シート片の折り罫線に跨がって延在されており、その表第３面部の左右方向一方端部が前記裏第１面部の端部に連結され且つ左右方向反対端部が裏第２面部の端部に連結されていると共に、前記表第３面部の左右方向両端部以外が前記裏第１面部及び裏第２面部に対して非接着とされている。
本発明の好ましいシュリンクフィルム付き台紙は、前記シュリンクフィルムが、前記表第１面部及び表第３面部に重ならないようにして、前記表第２面部の表面に取り付けられている。
本発明の好ましいシュリンクフィルム付き台紙は、前記裏第１面部の上下方向端部又は前記表第１面部の上下方向端部に、蓋シート片が延設されている。
本発明の好ましいシュリンクフィルム付き台紙は、前記裏第１面部の面内には、左右方向に延びるミシン目線が上下方向に離れて一対形成されている。
本発明の好ましいシュリンクフィルム付き台紙は、前記筒状のシュリンクフィルムが扁平状に折り畳まれており、前記扁平状に折り畳まれたシュリンクフィルムが、前記折り罫線に対応する部分を跨ぐように配置され、前記表第２面部の表面に取り付けられている。
【０００８】
本発明の別の局面によれば、包装体を提供する。
本発明の包装体は、台紙と、シュリンクフィルムが物品に熱収縮装着されたフィルム付き物品と、を有し、前記シュリンクフィルムの軸方向を上下方向として前記フィルム付き物品の背面が台紙に取り付けられている包装体であって、前記台紙が、台紙本体と、前記フィルム付き物品の一部分を覆うケース部と、を有し、前記ケース部が、前記フィルム付き物品の背面に対面するように、前記台紙本体から延設された背面壁と、前記フィルム付き物品の一方の側面に対面するように、前記背面壁の端部から起立された側壁と、前記フィルム付き物品の正面及び反対側の側面に対面するように、前記側壁の上方部及び下方部からそれぞれ独立して延設された帯壁と、を有し、前記フィルム付き物品の上方部の周囲が、前記上方の帯壁、側壁の一部及び背面壁の一部によって覆われ、且つ前記フィルム付き物品の下方部の周囲が、前記下方の帯壁、側壁の一部及び背面壁の一部によって覆われていると共に、前記フィルム付き物品の上下方向中間部の正面及び反対側の側面が開放されており、前記側壁の面内には、前記帯壁を有さない端縁部を始点として前記背面壁の端部へ延びるミシン目線が上下方向に離れて一対形成されており、前記シュリンクフィルムには、前記側壁に対面する位置に、フィルムの軸方向に延びるミシン目線が形成されている。
【０００９】
本発明の好ましい包装体は、前記フィルム付き物品のシュリンクフィルムの軸方向端部には、摘み部が設けられており、前記ミシン目線が、前記摘み部の基部を始点として軸方向に延びて形成されており、前記摘み部が前記側壁に形成された上下一対のミシン目線の間に位置するように、前記フィルム付き物品が取り付けられている。
【発明の効果】
【００１０】
本発明のシュリンクフィルム付き台紙は、裏第１面部を折り罫線にて裏第２面部に対して表面側に折り曲げることにより、表第１面部が起立し、物品を包囲するケース部を容易に形成できる。かかるシュリンクフィルム付き台紙のシュリンクフィルムに物品を熱収縮装着させることにより、シュリンクフィルムにて物品が台紙に保持された包装体が得られる。
また、本発明の包装体は、フィルム付き物品の上下方向中間部の正面及び反対側の側面が開放されているので、そこからフィルム付き物品を直接的に視認できる。さらに、上下の帯壁、背面壁及び側壁を有するケース部でフィルム付き物品が覆われているので、物品が適切に保護された包装体を提供できる。
【図面の簡単な説明】
【００１１】
【図１】本発明のシュリンクフィルム付き台紙の正面図（シュリンクフィルム付き台紙の表面側から見た平面図）。
【図２】同背面図（裏面側から見た平面図）。
【図３】図１のＩＩＩ−ＩＩＩ線で切断した断面図。
【図４】図１のＩＶ−ＩＶ線で切断した断面図。
【図５】台紙を展開したシート材を示す平面図。
【図６】シュリンクフィルム付き台紙のケース形成部位を立体的に起立させる途中を示す斜視図。
【図７】ケース部を形成した後のシュリンクフィルム付き台紙を右上方から見た斜視図。
【図８】ケース部を形成した後のシュリンクフィルム付き台紙を左下方から見た斜視図。
【図９】同シュリンクフィルム付き台紙のシュリンクフィルムに物品を挿入する途中を左下方から見た斜視図。
【図１０】本発明の包装体を右上方から見た斜視図。
【図１１】同包装体を左下方から見た斜視図。
【図１２】同包装体の右側面図。
【図１３】図１０のＸＩＩＩ−ＸＩＩＩ線で切断した断面図。
【図１４】図１０のＸＩＶ−ＸＩＶ線で切断した断面図。
【図１５】図１０のＸＶ−ＸＶ線で切断した断面図。
【図１６】開封時の包装体の右側面図。
【図１７】開封時の包装体を右上方から見た斜視図。
【発明を実施するための形態】
【００１２】
本発明の好ましい実施形態について、図面を参照しつつ具体的に説明する。なお、用語の初めに「第１」、「第２」などを付す場合があるが、これらは、用語を区別するために付加されたものであり、その順序や優劣などを意味しない。台紙の「表面」は、台紙を図１に示す正面（台紙の面を直視する方向）から見たときに、見る者に近い側にある面を指し、「裏面」は、その反対側の面を指す。平面視形状は、台紙の表面又は裏面に対して鉛直方向から見たときの形状である。方向性を示す用語として、上、下、左、右を使用するが、これらは、台紙の任意の一辺を水平面上に置いて包装体を立てた状態を仮想して、その台紙の表面に対して鉛直方向から見たときの方向を指す。また、「ＰＰＰ〜ＱＱＱ」という記載は、「ＰＰＰ以上ＱＱＱ以下」を意味する。さらに、本発明において、台紙という用語は、それが紙製であるという限定的な意味を有するわけではない。
なお、各図の具体的な寸法及び縮尺比は、実際のものとは異なっていることに留意されたい。
【００１３】
＜シュリンクフィルム付き台紙＞
図１乃至図４に示すように、シュリンクフィルム付き台紙１は、物品の一部分を覆うケース部を形成可能なケース形成部位を有する台紙２と、前記ケース形成部位に取り付けられた筒状のシュリンクフィルム３と、を有する。シュリンクフィルム付き台紙１は、保管又は運搬の便のため、通常、扁平状の台紙２に取り付けられた筒状のシュリンクフィルム３は扁平状に折り畳まれている。このシュリンクフィルム３は熱収縮させる前のものである。
なお、各図において、一点鎖線は、折り罫線を示し（折り罫線にて折り曲げられていない状態の折り罫線を示し）、折り罫線にて折り曲げられたときには、折り罫線を実線で示している（図５も同様）。
【００１４】
台紙２を形成するシート材は、特に限定されず、従来公知のものを用いることができる。シート材としては、例えば、厚紙（薄い合成樹脂製フィルム及び／又は金属蒸着層が積層された厚紙を含む）、合成樹脂製シート、金属蒸着層を有する合成樹脂製シート、発泡樹脂シート、及びこれらの積層シートなどが挙げられる。比較的安価であることから、前記厚紙を用いることが好ましい。前記合成樹脂製シートとしては、例えば、ポリオレフィン系、ポリエステル系、ポリスチレン系などのシートが挙げられ、適度な剛性を有することから、ポリプロピレン製シートが好ましい。
シート材の厚みは、特に限定されないが、好ましくは０．２ｍｍ〜１．５ｍｍ程度である。厚紙の場合には、０．５ｍｍ〜１．５ｍｍ程度であり、合成樹脂製シートの場合には、０．２ｍｍ〜０．６ｍｍ程度である。また、台紙２の表面又は／及び裏面には、必要に応じて、所望のデザインが印刷などによって表示されていてもよい。
【００１５】
台紙２は、物品の一部分を覆うケース部を形成するためのケース形成部位と、ケース形成部位以外の部分である台紙本体と、から構成されている。なお、ケース形成部位と台紙本体を判り易くするため、図１及び図２において、台紙本体の部分に無数のドットを便宜上付加している。
台紙２は、全体として扁平状であるが、シュリンクフィルム付き台紙１の使用時には、ケース形成部位が立体的に起立される。
前記ケース形成部位は、表裏に重ねられた２枚のシート片４，５から構成されている。ケース形成部位を構成する２枚のシート片４，５を、表シート片及び裏シート片という。台紙本体は、１枚のシート片から構成されていてもよく、２枚のシート片から構成されていてもよい。
表シート片４及び裏シート片５は、台紙本体の側方に延出されている。図示例では、表シート片４及び裏シート片５は、正面視で、台紙本体の右側に延出されている。もっとも、表シート片４及び裏シート片５は、正面視で、台紙本体の左側に延出されていてもよい。
【００１６】
表シート片４及び裏シート片５の平面視形状は、特に限定されないが、例えば、略矩形状である。表シート片４及び裏シート片５は重ねられている。裏シート片５の面内には、裏シート片５の上縁から下縁にまで上下方向に延びる折り罫線６１が形成されている。前記折り罫線６１は、裏シート片５の左右方向の略中央部において上下方向に延設されている。つまり、裏シート片５は、折り罫線６１にて左右に略均等に２分されている。なお、前記左右方向は、シート片の面内において上下方向と直交する方向である。
本明細書において、折り罫線は、台紙２を構成するシート片を折り曲げやすくするためにシート片に形成された線である。この折り罫線は、特に限定されず、例えば、シート片の厚み方向に貫通する小孔が断続的に形成されたミシン目線、シート片を厚み方向に押し込んだ凹状の押し線、シート片の厚み方向に切り込んだＶノッチ線などが挙げられる。
裏シート片５の左右方向の略中央部に折り罫線６１を形成することにより、後述する裏第１面部の左右方向長さと裏第２面部の左右方向長さが同じとなり、下面視略正方形状のケース部が形成される。もっとも、折り罫線６１は、裏シート片５の左右方向の略中央部に形成されている場合に限られず、裏シート片５の左右方向一方寄りに形成されていてもよい。この場合、左右方向長さが異なる裏第１面部５１と裏第２面部５２が生じ、下面視略長方形状のケース部が形成される。
以下、裏シート片５の面内に形成された折り罫線６１を「第１折り罫線」という。
【００１７】
前記裏シート片５は、前記第１折り罫線６１を基準にして左右方向に２つの領域に区画されている。第１折り罫線６１を基準にして図２の左側の領域を裏第１面部５１といい、右側の領域を裏第２面部５２という。
裏第１面部５１は、裏第２面部５２に対して前記第１折り罫線６１にて折り曲げ可能である。
また、裏第１面部５１の面内には左右方向に延びるミシン目線７１，７２が形成されている。このミシン目線７１，７２は、上下方向に間隔をあけて、互いに離れて一対設けられている。前記一対のミシン目線７１，７２としては、直線状の小さい切り目が断続的に形成されたもの、円形状又は楕円形状の孔が断続的に形成されたもの、平面視略への字状の切り目が断続的に形成されたもの、などが挙げられる。図示例では、ミシン目線７１，７２として、平面視略への字状の断続的な切り目が形成されている場合を例示している。
前記上下のミシン目線７１，７２は、それぞれ左右方向に略平行に延びて形成されていてもよく、或いは、傾斜しつつ左右方向に延びて形成されていてもよい。
図示例では、上方のミシン目線７１は、第１折り罫線６１に向かうに従って上方に傾斜しつつ左右方向に延びて形成され、下方のミシン目線７２は、左右方向と略平行に延びて形成されている。
【００１８】
一方、表シート片４は、上下方向において少なくとも２つの面部に分割されている。
前記表シート片４の２つの面部のうち表第１面部４１は、前記裏シート片５の第１折り罫線６１に跨がって延在されている。前記表第１面部４１の左右方向一方端部は、前記裏第１面部５１の端部に連結され、前記表第１面部４１の左右方向反対端部は、前記裏第２面部５２の端部に連結されていると共に、前記表第１面部４１の左右方向両端部以外が前記裏第１面部５１及び裏第２面部５２（裏シート片５）に対して非接着とされている。
一方、前記表シート片４の２つの面部のうち表第２面部４２の裏面は、前記裏シート片５の表面に接着されている。
なお、本明細書において、「非接着」は、２つのものが接着されておらず、２つのものを離したり或いは近づけたりすることができる状態にあることをいい、「接着」は、２つのものが、直接的に又は接着剤などの接着材料を介して、物理的に連結されていることをいう。
【００１９】
具体的には、表シート片４は、例えば、前記裏シート片５と同形同大である。かかる表シート片４の面内には、左右方向に延びる切込み線７８，７９が形成されている。切込み線７８，７９は、表シート片４を分断する線である。前記左右方向に延びる切込み線７８，７９は、上下に間隔をあけて一対形成されている。前記上下の切込み線７８，７９は、それぞれ左右方向に略平行に延びて形成されていてもよく、或いは、傾斜しつつ左右方向に延びて形成されていてもよい。
図１に示すように、上方の切込み線７８は、裏第１面部５１の端部に向かうに従って上方に傾斜しつつ左右方向に延びて形成され、下方の切込み線７９は、裏第１面部５１の端部に向かうに従って下方に傾斜しつつ左右方向に延びて形成されている。
前記上下一対の切込み線７８，７９により、表シート片４は、上下方向に並んだ３つの面部に分割されている。前記３つの面部は、上方から順に、表第１面部４１、表第２面部４２及び表第３面部４３である。表第１面部４１と表第２面部４２は、上方の切込み線７８を介して上下に隣接しており、表第２面部４２と表第３面部４３は、下方の切込み線７９を介して上下に隣接している。
【００２０】
表第１面部４１及び表第３面部４３は、左右方向に延びており、前記表第１面部４１及び表第３面部４３の左右方向一方端部は、それぞれ裏第１面部５１の端部に連結され、前記表第１面部４１及び表第３面部４３の左右方向反対端部は、それぞれ裏第２面部５２の端部に連結されている。
また、前記表第１面部４１及び表第３面部４３は、その両端部を除いて、裏第１面部５１及び裏第２面部５２（裏シート片５）に対して非接着とされている。
表第２面部４２は、裏シート片５に対して接着されている。表第２面部４２は、その全体が裏シート片５に接着されていてもよく、一部分が裏シート片５に接着されていてもよい。表第２面部４２の一部分が裏シート片５に接着される場合、裏第１面部５１及び裏第２面部５２に双方に表第２面部４２の一部分がそれぞれ接着されていることが好ましい。なお、表第２面部４２と裏シート片５は、通常、接着剤（又は粘着剤）、両面粘着テープなどの接着材料を介して接着される。なお、図３及び図４においては、表第２面部４２と裏シート片５の間に介在する前記接着剤などの接着材料を図示していない。
【００２１】
なお、必要に応じて、表第１面部４１、表第２面部４２及び表第３面部４３の面内には、第１折り罫線６１に対応する位置に、それぞれ折り罫線６２，６３，６４が形成される。以下、表第１面部４１の面内に形成された折り罫線６２を「第２折り罫線」といい、表第２面部４２の面内に形成された折り罫線６３を「第３折り罫線」といい、表第３面部４３の面内に形成された折り罫線６４を「第４折り罫線」という。第２折り罫線６２、第３折り罫線６３及び第４折り罫線６４は、第１折り罫線６１と同様に、上下方向に延設されている。
また、必要に応じて、表第１面部４１及び表第３面部４３の左右方向反対端部には、上下方向に延びる折り罫線６５，６６がそれぞれ形成されている。以下、表第１面部４１の反対端部に形成された折り罫線６５を「第５折り罫線」といい、表第３面部４３の反対端部に形成された折り罫線６６を「第６折り罫線」という。
【００２２】
さらに、裏第１面部５１の上端部には、蓋シート片２８が延設されている。蓋シート片２８と裏第１面部５１の境界部分には、必要に応じて、折り罫線が形成される。
一方、表第１面部４１の上端部には、前記蓋シート片２８と協働して蓋部を成す補助フラップ片２９が延設されている。補助フラップ片２９と表第１面部４１の境界部分には、必要に応じて、折り罫線が形成される。
また、表第１面部４１の面内であって第２折り罫線６２と第５折り罫線６５の間には、前記蓋シート片２８に形成された差し込み部２８ａを差し入れるための差し入れ口２７が形成されている。差し入れ口２７は、例えば、表第１面部４１の面内に形成された略円弧状などの切込み線からなる。
もっとも、蓋シート片２８は、裏第１面部５１の上端部に設けられている場合に限られず、蓋シート片２８が表第１面部４１の上端部に設けられていてもよい（図示せず）。また、蓋シート片２８は、上端部に設けられている場合に限られず、蓋シート片２８が裏第１面部５１の下端部又は表第３面部４３の下端部に設けられていてもよい（図示せず）。
【００２３】
前記表第２面部４２の表面には、シュリンクフィルム３の軸方向を上下方向として、シュリンクフィルム３が取り付けられている。
シュリンクフィルム３は、筒状に形成した熱収縮性フィルムを有し、扁平状に折り畳まれている。
筒状のシュリンクフィルム３を構成する熱収縮性フィルムは、柔軟性を有し、さらに、少なくとも第１方向（第１方向は、筒状に形成された際に軸周り方向となる）に熱収縮性を有するフィルムであれば特に限定されず、従来公知のフィルムを用いることができる。なお、前記熱収縮性は、所定の温度（例えば、７０℃〜１００℃）に加熱されると収縮する性質をいう。前記熱収縮性フィルムとして、第２方向（第２方向は、熱収縮性フィルムの面内で前記第１方向に直交する方向）にも若干熱収縮又は熱伸張するフィルムを用いてもよい。熱収縮性フィルムは、公知の製法で製膜し延伸処理することにより得ることができる。
前記熱収縮性フィルムは、不透明のフィルムでもよいが、包装する物品のデザインを透視できることから、無色透明又は有色透明のフィルムを用いることが好ましい。前記熱収縮性フィルムは、単層でもよいし、複数の層が積層一体化された積層フィルムでもよい。前記熱収縮性フィルムの形成材料は、特に限定されず、例えば、ポリエチレンテレフタレート、ポリ乳酸などのポリエステル系樹脂、ポリプロピレンなどのオレフィン系樹脂、ポリスチレンなどのポリスチレン系樹脂、環状オレフィン系樹脂、塩化ビニル系樹脂などの熱可塑性樹脂から選ばれる１種、又は２種以上の混合物などを主成分として含む樹脂組成物が挙げられる。熱収縮性フィルムの厚みは、特に限定されないが、例えば、２０μｍ〜１００μｍである。
【００２４】
熱収縮性フィルムには、必要に応じて、所望のデザインが印刷などにより表示されていてもよい。デザインの印刷層（図示せず）は、熱収縮性フィルムの内面又は外面の何れに設けられていてもよいが、傷付き防止の観点から、熱収縮性フィルムの内面に設けることが好ましい。
シュリンクフィルム３は、従来と同様に、前記熱収縮性フィルムの第１方向が軸周り方向となるようにそのフィルムを丸め、その一側端部を他側端部に重ね合わせ、その両側端部を溶剤又は接着剤で互いに接着することにより、筒状に形成されている。
物品を挿入するために、筒状のシュリンクフィルム３の内周長さは、物品の外周長さよりも少し大きい。筒状のシュリンクフィルム３の上下方向の長さは、物品の上下方向の長さと同じ若しくはそれよりも小さい又はそれよりも大きくてもよい。
好ましくは、シュリンクフィルム３の上下方向長さは、表第１面部４１と表第３面部４３との間の上下方向長さの最小値（換言すると、表第２面部４２の上下方向長さの最小値）よりも小さい。
【００２５】
また、シュリンクフィルム３の上縁には、摘み部３２が延設されている。さらに、シュリンクフィルム３の面内には、軸方向に延びるミシン目線３１が形成されている。前記ミシン目線３１は、１本でもよく、シュリンクフィルム３の周方向に間隔を開けて２本以上設けられていてもよい。図示例では、シュリンクフィルム３の周方向に所望間隔（例えば、３ｍｍ〜１５ｍｍ、好ましくは５ｍｍ〜１０ｍｍ）を開けて２本のミシン目線３１，３１が形成されている。
前記ミシン目線３１の配置は特に限定されないが、摘み部３２を形成している本実施形態においては、ミシン目線３１は、摘み部３２の基部から上下方向に延設されていることが好ましい。２本のミシン目線３１，３１が形成される場合、２本のミシン目線３１，３１が、摘み部３２の両基部から上下方向に延設されていることが好ましい。
なお、図示例では、ミシン目線３１は、シュリンクフィルム３の上縁から下縁にまで形成されているが、下縁にまで形成されている場合に限定されず、シュリンクフィルム３の上縁から上下方向中途部まで形成されていてもよい。
【００２６】
筒状のシュリンクフィルム３は、向かい合う２つの折り目で折り畳まれて扁平状とされている。
例えば、シュリンクフィルム３は、摘み部３２が周方向において２つ折りとなるように扁平状に折り畳まれている。
扁平状に折り畳まれたシュリンクフィルム３は、軸方向を上下方向にして、表第２面部４２に取り付けられている。図示例では、シュリンクフィルム３は、表第２面部４２のうち第３折り罫線６３を基準にして左側領域（この左側領域は、台紙本体に近い側である）の一部分に取り付けられている。
好ましくは、扁平状に折り畳まれたシュリンクフィルム３は、第１折り罫線６１に対応する部分を跨ぐように配置され、表第２面部４２の表面に取り付けられている。第１折り罫線６１に対応して第３折り罫線６３が形成されている表第２面部４２にあっては、シュリンクフィルム３は、表第２面部４２の第３折り罫線６３を跨ぐようにして表第２面部４２に取り付けられている。つまり、第３折り罫線６３を基準にして表第２面部４２を右方部と左方部に分けると、シュリンクフィルム３は、前記右方部と左方部の双方に重なるように取り付けられている。好ましくは、ミシン目線３１の形成された周辺が表第２面部４２の右方部に重なるようにしてシュリンクフィルム３が表第２面部４２の表面に取り付けられている。
また、扁平状のシュリンクフィルム３は、表第１面部４１及び表第３面部４３に重ならないようにして、表第２面部４２の表面に取り付けられている。例えば、シュリンクフィルム３の一部分が表第２面部４２の表面に接着されている。
シュリンクフィルム３の表第２面部４２に対する接着方法は、特に限定されず、例えば、シュリンクフィルム３が直接的に表第２面部４２に接着されていてもよく、或いは、接着剤（又は粘着剤）、両面粘着テープなどの接着材料を介して接着されていてもよい。通常、図３及び図４に示すように、接着材料からなる接着部２６がシュリンクフィルム３と表第２面部４２の間に設けられ、シュリンクフィルム３の一部分が表第２面部４２に接着される。
【００２７】
なお、台紙本体は、ケース形成部位の一部分に連続して設けられている。図示例では、台紙本体は、ケース形成部位の上方及び側方に連続して設けられている。換言すると、第１裏面部５１を含むケース形成部位は、台紙本体の側方から延び出るように連続して設けられており、図示例では、正面視で台紙本体の右側に延出されている。
また、台紙本体は、１枚のシート片から構成されていてもよく、或いは、２枚以上のシート片から構成されていてもよい。図示例では、台紙本体は、裏シート片５に連続したシート片と表シート片４に連続したシート片とからなり、その２枚のシート片は接着されている。詳しくは、台紙本体は、裏第２面部５２の上方及び側方に連続したシート片と、表第１面部乃至表第３面部４１，４２，４３の側方に連続し且つ表第１面部４１の上方にまで延設されたシート片と、からなる。これらの２枚のシート片は、その一部分又は全体が接着剤（又は粘着剤）にて接着されて一体化されている。なお、図３及び図４においては、台紙本体を構成する２枚のシート片の間に介在する前記接着剤などの接着材料を図示していない。
【００２８】
図５は、台紙２を形成するためのシート材を展開した状態を示す。
図５の展開シート材に、シュリンクフィルム付き台紙１の各部分に対応する符号を付している。さらに、図５の展開シート材のうち、台紙本体となる部分に無数のドットを便宜上付加している。
かかる展開シート材は、裏シート片５の裏第１面部５１の端部と表シート片４の一方端部が連結されているものであり、前記裏第１面部５１の端部と表シート片４の一方端部の境界部分に、上下方向に延びる第７折り罫線６７が形成されている。
この第７折り罫線６７を基準にして、展開シート材の右方部を左方部の裏面側に、第７折り罫線にて１８０度に折り曲げて右方部と左方部を重ね合わせ、表第２面部４２を裏シート片５に接着すると共に、台紙本体を構成するシート片同士を接着することにより、上記のような扁平状の台紙２が得られる。
この台紙２の表第２面部４２の表面に扁平状のシュリンクフィルム３を取り付けることにより、図１乃至図４に示すようなシュリンクフィルム付き台紙１が得られる。
【００２９】
＜シュリンクフィルム付き台紙の使用＞
上記シュリンクフィルム付き台紙１は、例えば、次のようにして使用される。
扁平状のシュリンクフィルム付き台紙１について、図６に示すように、裏第２面部５２に対して裏第１面部５１を表面側に折り曲げる。裏第１面部５１と裏第２面部５２の境界には、第１折り罫線６１が形成されているので、裏第１面部５１を容易に折り曲げることができる。裏第１面部５１を折り曲げると、裏第１面部５１の端部に連結され且つ裏シート片５（裏第１面部５１及び裏第２面部５２）に非接着とされた表第１面部４１及び表第３面部４３が裏シート片５から離れ、立体的に起立するようになる。特に、表第１面部４１及び表第３面部４３の面内に第２折り罫線６２及び第４折り罫線６４が形成され、表第１面部４１及び表第３面部４３の端部（表第１面部４１及び表第３面部４３と台紙本体の境界部分）には、第５折り罫線６５及び第６折り罫線６６が形成されているので、表第１面部４１及び表第３面部４３は、確実に立体的に立ち上がるようになる。
なお、表第２面部４２は、裏シート片５に接着されているので、表第２面部４２のうち裏第１面部５１に対面する右方部は、裏第１面部５１と共に折れ曲がる。特に、表第２面部４２の面内には、第１折り罫線６１に対応して第３折り罫線６３が形成されているので、裏第１面部５１を第１折り罫線６１にて極めて容易に折り曲げることができる。
また、シュリンクフィルム３は第１折り罫線６１に対応する部分を跨ぐように配置され且つ表第２面部４２に取り付けられているので、裏第１面部５１を折り曲げた際に、シュリンクフィルム３の右側方が裏第１面部５１に押され、扁平状のシュリンクフィルム３の上下の開口が少し開くようになる（図６参照）。
【００３０】
そして、図７及び図８に示すように、裏第１面部５１を裏第２面部５２に対して略直角に起立させることにより、表第１面部４１及び表第３面部４３が、それぞれ第２折り罫線６２及び第４折り罫線６４において略直角に折れ曲がると共に、第５折り罫線６５及び第６折り罫線６６において裏第２面部５２に対して略直角に起立する。
このようにして台紙２のケース形成部位を立体的に起立させることにより、台紙２の一部分にケース部を形成できる。
前記ケース部は、立体的に起立された表第１面部４１、表第３面部４３、裏第１面部５１及び裏第２面部５２から構成され、そのケース部内にシュリンクフィルム３が具備されている。
必要に応じて、補助フラップ片２９を折り曲げ、その上に、蓋シート片２８を折り曲げた後、蓋シート片２８の差し込み部２８ａを差し入れ口２７に係入することによって、ケース部の蓋部を形成する。
【００３１】
ケース部を形成した後、図９に示すように、前記シュリンクフィルム３を筒状に開き、例えば、下方の開口からシュリンクフィルム３内に物品８を挿入し、所定温度に加熱することにより、シュリンクフィルム３が周方向に熱収縮して物品８に密着する。シュリンクフィルム付き台紙１においては、シュリンクフィルム３が、表第１面部４１及び表第３面部４３に重ならずに取り付けられているので、シュリンクフィルム３の上縁又は下縁を摘み易く、シュリンクフィルム３を簡易に筒状に開くことができる。
このようにして、図１０乃至図１５に示すように、シュリンクフィルム付き台紙１のシュリンクフィルム３Ａに物品８が保持された包装体を得ることができる。
なお、包装体の説明において、包装体の各部又は部材のうち、その元となったシュリンクフィルム付き台紙に対応するものには、同一数字の末尾に「Ａ」を付けている。
【００３２】
＜包装体＞
本発明の包装体１０Ａは、図１０乃至図１５に示すように、台紙２Ａと、シュリンクフィルム３Ａが物品８に熱収縮装着されたフィルム付き物品９Ａと、を有し、前記シュリンクフィルム３の軸方向を上下方向として前記フィルム付き物品９Ａの背面が台紙２Ａに取り付けられている。図１０、図１１及び図１４において、物品のうちシュリンクフィルムに包囲された部分は隠れ線（破線）で表すべきところ、ミシン目線と区別し易くするために、便宜上、その部分を二点鎖線で表している（図１６及び図１７も同様）。
フィルム付き物品９Ａは、物品８と、熱収縮済みのシュリンクフィルム３Ａと、からなり、その物品８の周囲に熱収縮したシュリンクフィルム３Ａが密着し、物品８とシュリンクフィルム３Ａが一体化されているものである。
【００３３】
包装体１０Ａの台紙２Ａは、台紙本体と、前記フィルム付き物品９Ａの一部分を覆うケース部と、を有し、前記ケース部が、前記フィルム付き物品９Ａの背面に対面するように、前記台紙本体から延設された背面壁５２Ａと、前記フィルム付き物品９Ａの一方の側面に対面するように、前記背面壁５２Ａの端部から起立された側壁５１Ａと、前記フィルム付き物品９Ａの正面及び反対側の側面に対面するように、前記側壁５１Ａの上方部及び下方部からそれぞれ独立して延設された帯壁４１Ａ，４３Ａと、を有する。
包装体１０Ａの台紙２Ａのケース部は、上記シュリンクフィルム付き台紙１のケース形成部位を立体的に起立させた部分から構成されている。
このケース部の背面壁５２Ａは、上記シュリンクフィルム付き台紙１の裏第２面部５２に相当し、ケース部の側壁５１Ａは、起立させた裏第１面部５１に相当し、ケース部の上方の帯壁４１Ａは、起立させた表第１面部４１に相当し、ケース部の下方の帯壁４３Ａは、表第３面部４３に相当する。
ケース部は、上方の帯壁４１Ａ、背面壁５２Ａ及び側壁５１Ａによって構成された上方四角筒部２１Ａと、下方の帯壁４３Ａ、背面壁５２Ａ及び側壁５１Ａによって構成された下方四角筒部２３Ａと、を有する。
【００３４】
包装体１０Ａにおいて、フィルム付き物品９Ａの上方部の周囲は、上方の帯壁４１Ａ、側壁５１Ａの一部及び背面壁５２Ａの一部（上方四角筒部２１Ａ）によって覆われ、且つフィルム付き物品９Ａの下方部の周囲は、前記下方の帯壁４３Ａ、側壁５１Ａの一部及び背面壁５２Ａの一部（下方四角筒部２３Ａ）によって覆われている。また、フィルム付き物品９Ａの上下方向中間部の正面及び反対側の側面は、開放された窓部２４Ａとされている。
前記ケース部の側壁５１Ａの面内には、前記帯壁４１Ａ，４３Ａを有さない端縁部を始点として前記背面壁５２Ａの端部へ延びるミシン目線７１Ａ，７２Ａが上下方向に離れて一対形成されている。このミシン目線７１Ａ，７２Ａは、上記シュリンクフィルム付き台紙１の裏第１面部５１に形成された一対のミシン目線７１，７２に相当する。
フィルム付き物品９Ａのシュリンクフィルム３Ａには、前記側壁５１Ａに対面する位置に、フィルムの軸方向に延びるミシン目線３１Ａ，３１Ａが形成されている。さらに、前記フィルム付き物品９Ａのシュリンクフィルム３の軸方向端部には、摘み部３２Ａが設けられており、前記ミシン目線３１Ａ，３１Ａが、前記摘み部３２Ａの基部を始点として軸方向に延びて形成されている。フィルム付き物品９Ａは、前記摘み部３２Ａが前記側壁５１Ａに形成された上下一対のミシン目線７１Ａ，７２Ａの間に位置するように、ケース部の背面壁５２Ａに取り付けられている。
なお、ケース部の上方四角筒部２１Ａには、蓋部２８Ａが設けられており、上方四角筒部２１Ａの開口は、蓋部２８Ａにて閉塞されている。この蓋部２８Ａを設けることにより、上方四角筒部２１Ａの立体形状が維持されると共に、フィルム付き物品９Ａの上面に粉塵などが溜まることを防止できる。この蓋部２８Ａは、上記シュリンクフィルム付き台紙１の蓋シート片２８から構成される。
【００３５】
上記包装体１０Ａは、フィルム付き物品９Ａの背面及び一方の側面に、背面壁５２Ａ及び側壁５１Ａが対面され、フィルム付き物品９Ａの正面に、上下の帯壁４１Ａ，４３Ａが設けられている。かかる包装体１０Ａは、フィルム付き物品９Ａの上方部が、上方四角筒部２１Ａで囲われ、且つ、フィルム付き物品９Ａの下方部が、下方四角筒部２３Ａで囲われている、すなわち、フィルム付き物品９Ａが、上方四角筒部２１Ａ及び下方四角筒部２３Ａで保護されているので、フィルム付き物品９Ａに異物が接触し難く、さらに、落下時にフィルム付き物品９Ａに加わる衝撃が緩和される。特に、下方の帯壁４３Ａが設けられているので、包装体１０Ａの自立安定性にも優れている。中でも、図示のように、下方の帯壁４３Ａの下端と容器８の下端とが一致するようにフィルム付き物品９Ａが配置された包装体１０Ａは、より自立安定性に優れているので好ましい。
また、上下の帯壁４１Ａ，４３Ａの間には窓部２４Ａが設けられているので、フィルム付き物品９Ａの上下方向中間部がケース部によって覆われず、物品８を直接的に視認でき、展示効果に優れた包装体１０Ａを提供できる。
【００３６】
本発明の包装体１０Ａは、背面壁５２Ａの端部へと延びる上下一対のミシン目線７１Ａ，７２Ａが側壁５１Ａに形成され、且つ、側壁５１Ａの端縁部の一部分には帯壁を有さない窓部２４Ａが形成されているので、帯壁を有さない側壁５１Ａの端縁部に指を掛け、側壁５１Ａを外側に引き出すことにより、ミシン目線７１Ａ，７２Ａにて側壁５１Ａを容易に分断できる（図１６及び図１７参照）。側壁５１Ａを分断すると、フィルム付き物品９Ａの側方が現れ、シュリンクフィルム３Ａのミシン目線３１Ａ，３１Ａが露出するので、このミシン目線３１Ａ，３１Ａを利用してシュリンクフィルム３Ａを軸方向に分断することにより、フィルム付き物品９Ａから物品８を容易に取り出すことができる。特に、シュリンクフィルム３Ａの軸方向の上端部に摘み部３２Ａが設けられているので、図１７に示すように、この摘み部３２Ａを指で摘むことにより、ミシン目線３１Ａ，３１Ａを利用してシュリンクフィルム３Ａを容易に分断でき、物品の取り出しも極めて容易に行える。
なお、本発明の包装体１０Ａは、上記シュリンクフィルム付き台紙１のシュリンクフィルム３に物品を挿入し、加熱してシュリンクフィルム３を熱収縮させることによって製造されたものに限られない。例えば、シュリンクフィルムを物品に熱収縮装着した後、そのシュリンクフィルムを台紙に貼り付けることによって包装体を製造してもよい。
【符号の説明】
【００３７】
１  シュリンクフィルム付き台紙
２  台紙
２８  蓋シート片
３  シュリンクフィルム
３１  シュリンクフィルムのミシン目線
３２  シュリンクフィルムの摘み部
４  表シート片
４１  表第１面部
４２  表第２面部
４３  表第３面部
５  裏シート片
５１  裏第１面部
５２  裏第２面部
６１  裏シート片の折り罫線（第１折り罫線）
７１，７２  裏第１面部のミシン目線
８  物品
１０Ａ  包装体
【図１】
2018065593.tif 000003
【図２】
2018065593.tif 000004
【図３】
2018065593.tif 000005
【図４】
2018065593.tif 000006
【図５】
2018065593.tif 000007
【図６】
2018065593.tif 000008
【図７】
2018065593.tif 000009
【図８】
2018065593.tif 000010
【図９】
2018065593.tif 000011
【図１０】
2018065593.tif 000012
【図１１】
2018065593.tif 000013
【図１２】
2018065593.tif 000014
【図１３】
2018065593.tif 000015
【図１４】
2018065593.tif 000016
【図１５】
2018065593.tif 000017
【図１６】
2018065593.tif 000018
【図１７】
2018065593.tif 000019